(57)【要約】      （修正有）【解決手段】両肩掛けひもを肩に掛けて、腹と腰のまわりに袋状のいれものを巻きつけその巻きつけたバッグの左右両端部をチャックやボタン等で止められる様な構造とした、両肩腰ベルト兼用式身体巻きバッグ。【効果】身体全体に巻き付けたため、荷物の持ち運びを軽く容易にしたことと両手が空くため雨の日でも傘をさしたり又、物入れを前後・左右とどこにでも移動自由に、またたやすく荷物を移動でき荷物が少ない時は、身体の前後左右いずれか好きな所へ自由に入れて移動も簡単にすることができ、別に超大型の鞄などを持ちたい場合は、後ろの部分だけなどに荷物を入れて、左・右は空にしておけば別に大型の鞄も同時に左右の手で持つ事も可能であり、使用の仕方次第で用途は無数に考えられる。【選択図】図１
0003116765.tif 000002
【実用新案登録請求の範囲】
【請求項１】
両肩掛けひもを肩にかけて、腹と腰まわりに袋（バッグ）状のものを巻きつけた巻き袋（バッグ）の左右両端をチャックまたはボタンでとめた両肩腰ベルト兼用式身体巻き（袋）バッグ（（略称）Ｂバッグと呼ぶ）。
【請求項２】
袋状の身体巻き袋（バッグ）の  上部に重み等を保持固定してぶれないように、これを支えるための全身周囲巻腰ベルトをはめ込みめるようにまたは両肩からのたらしたベルトをひっかけるための、いずれもが可能な兼用の輪を数箇所取り付けた両肩腰ベルト兼用式身体巻き（袋）バッグ（（略称）Ｂバッグと呼ぶ）。
【請求項３】
袋状の身体巻き袋（バッグ）の身体周囲全体の巻き袋上部分大袋の入り口となる部分をチャック等でとじてそのチャック部分を逆三角形の頂点が底になるような形に折り込み、周囲全体の巻き袋下部分の底は、三角形の頂点（底）部分が上になるように大袋の底を折りたたみこみこれの底辺部分をマジックテープまたはボタン等、でとめて固定し、上のチャックを折り込んだ部分の逆三角形の底辺部分に当たるところは袋の左右の側面下端から始まり逆エル字がたに身体周囲全体をぐるりとチャック等でとじてコンパクトに身体に密着固定させ、逆三角形溝をポケット代わりに使用できるようにした両肩腰ベルト兼用式身体巻き（袋）バッグ（（略称）Ｂバッグと呼ぶ）。
【請求項４】
両肩からかけたひものお腹上部分に左右の肩かけひもをつなぐ箇所のボタンどめを右前または左前のどちらにも兼用が可能となるように左右にボタン孔とボタンを交互に取り付けた身体巻き（袋）バッグ（Ｂバッグ）で、後や・左・右を一連の袋（バッグ）として、いるため荷物位置を自由に好きな位置に移動して持ち運べるようにした又、後ろに移動した荷物が勝手に動きにくいように底から高さ数センチだけの間仕切りを数箇所もうけた身体巻き（袋）バッグ（Ｂバッグ）で又、雨の日でも、大丈夫なように素材を防水にした両肩腰ベルト兼用式身体巻き（袋）バッグ（（略称）Ｂバッグと呼ぶ）。
【請求項５】
袋状の巻き（袋）バッグの  表面の両側一部に、重量を入れたときに持ち上げるための、持ち上げ補助ひもを付けた両肩腰ベルト兼用式身体巻き（袋）バッグ（（略称）Ｂバッグと呼ぶ）。
【考案の詳細な説明】
【考案の開示】
【考案が解決しようとする課題】
【０００１】  従来から食品などの買い物をしたりする時、多くの荷物を持ち運ぶ上で非常に重く、高齢化社会になっている現在、高齢者などで自動車や自転車に乗れない人が増加している昨今、手で荷物を持ち運びする上で、出来るだけ軽く持ち運びすることが必要で雨の日など傘を持って多くの重い荷物を持ち運びするのが、非常に困難な状況となってきている問題があった。
【課題を解決するための手段】
【０００２】  荷物は持ち運びの際、できるだけ身体に密着して持ち運ぶのが一番力が少なくてすむため、身体のまわりに巻きつける事は、荷物の持ち運びを少しでも軽くする事と雨の日でも手で持たずに両肩でさげて歩けるため、両手をあけることが出来、雨でも素材を防水にしておけば、荷物の持ち運びをしながら傘をさすことが出来る両肩腰ベルト兼用式身体巻き（袋）バッグ（（略称）Ｂバッグ）で密着型にした入れ物（袋（バッグ））です。
【考案の効果】
【０００３】  身体全体に巻きつけたため、荷物の持ち運びを軽く容易にした事と両手があくため雨の日でも傘をさしたり又、物入を前後・左右とどこにでも移動自由に入れまたたやすくる荷物を移動でき荷物が少ない時は、身体の前後左右いずれか好きなところへ自由に入れて移動も簡単にすることが出来、別に超大型の鞄などを持ちたい場合は、後の部分だけなどに荷物を入れて、左・右は空にしておけば別に大型の鞄も同時に左右の手で持つ事も可能であり、使用の仕方次第で用途は無数に考えられる。
【実施例】
【０００４】からだの両肩に肩掛けベルトをかけて全身に巻きつけた袋（バック）を身体に巻きつけた（袋）バッグの両端のチャックをかけて引きおろしてしめ、袋状のバッグの上部のチャックのふたを閉じてから逆三角形になるようにチャックの部分を下になるように中に折り込み、逆三角形の底になる部分に別にエル字型に取り付けたチャックの側端部分を閉じて逆三角形の部分がポケットになるようにとり付けたチャックしめ袋の下の部分は三角形のように中に折り込んでその端面両側にマジックテープやボタン等で固定して形がふくれにくいようにする。
両肩に肩掛けベルトをかけて全身に袋を巻きつけた状態にしている為、また腰部分一般の市販ベルトを巻くことも可能にし、また重いものも軽く感じる袋（バッグ）で袋（バッグ）の前部分又は、左・右の別個に、または前部分と左右や後の全部に同時に荷物を入れて持ち運べるようにした、両肩腰ベルト兼用式身体巻き（袋）バッグ（（略称）Ｂバッグ）で、特に重量物を入れた時は、袋（バッグ）の外側の前後左右の中ほど部分に取り付けた補助手さげひもを持ち上げながら歩くと、身体にかかる重みを、多少とも軽減するように出来る。又、いろいろの品物を袋（バッグ）にじかに入れても良いし、食品入りのビニール袋や鞄などをそのまま袋（バッグ）に入れても良い。袋（バッグ）の口の部分は右まわりと左まわりの両側チャック付のものやチャックのない袋状だけのもの、または、チャックのかわりに布ぶた付としたものなどにより、いろいろと使い分けできる。又、袋（バッグ）の中は前と左右部分と後部分等の数ヶ所に入れれるように袋（バッグ）の底部分に、深さ数センチの間仕切りを設けて、１連のバッグの中で品物が勝手に移動しないように安心して使える。
【図面の簡単な説明】
【０００５】
【図面１】
本考案の正面図と背面図である。
【図面２】
本考案の右側面図と左側面図である
【図面３】
本考案の平面図と底面図である
【符号の説明】
【０００６】  １  両肩掛けひも
２  両肩掛けひも腰ベルト兼用かけひも部分
３  身体巻き袋（バッグ）部分
４  身体巻き布右前左前兼用かけボタン部分
５  巻き袋（バッグ）両側端とじとめチャック部
６  身体巻き袋（バッグ）の口でポケットの底部分になる全身体まわり第１チャック
７  身体巻き袋（バッグ）の底になる部分の折込部
８  身体巻き袋（バッグ）の底になる部分の折込部下部のマジックテープ等とめ部
９  ポケットの口になる両下側端からの身体まわりの両エル字形第２チャック
１０  補助手さげひも
【図１】
0003116765.tif 000003
【図２】
0003116765.tif 000004
【図３】
0003116765.tif 000005
【手続補正書】
【提出日】平成17年6月15日(2005.6.15)
【手続補正１】
【補正対象書類名】実用新案登録請求の範囲
【補正対象項目名】全文
【補正方法】変更
【補正の内容】
【実用新案登録請求の範囲】
【請求項１】
両肩掛けひもを肩にかけて、腹と腰のまわりに袋（バッグ）状のものを巻きつけた巻き袋（バッグ）の左右両端をチャックまたはボタンでとめた、両肩腰ベルト兼用式身体巻き（袋）バッグ。
【請求項２】
袋状の身体巻き袋（バッグ）部分３の大袋分に荷物をいれた時、その重み等を保持固定し、身体に密着させてぶれないように、これを支えるための全身周囲に巻腰ベルトをはめ込めるように、または両肩からたらした両肩掛けひも１をひっかけるための、両肩掛けひも腰ベルト兼用かけひも部分２に両肩掛けひもと腰ベルトのいずれもを利用が可能な兼用の輪を数箇所取り付けるような構造とした、請求項１記載の両肩腰ベルト兼用式身体巻き（袋）バッグ。
【請求項３】
袋状の身体巻き袋（バッグ）部分３の身体周囲全体の巻き袋部分、の身体巻き袋（バッグ）の口でポケットの底部分になる全身体まわり第１チャック６を引き出して大袋状とし、その上部入り口となる身体巻きバッグの第１チャック６の口を左右２本のチャック等で身体周囲全体を開け閉め可能の構造として、その第１チャック部分を逆三角形のように中に折込んで、逆三角形の頂点の第１チャック部分がポケットの底となるような形に折り込み、ポケットが身体周囲全体となる構造にして巻き、大袋の底にあたる部分を三角形の頂点部分になるように大袋上なかに折りたたみ込み、これの三角形の底辺部分の開いたすきまを面ファスナーまたはボタン等、でとめて身体のほうに密着させ、大袋の第１チャックを下に折り込んだ部分の逆三角形の底辺部分に当たるポケットの入り口部分は、第２チャック９で閉じる構造とし、図１の身体巻き袋（バッグ）部分３の正面左右の各第２チャック９の下端から始まり、逆エル字がたに身体周囲全体をぐるりと右から左へ、または、左から右へチャックを開け閉め出来るよう２本のチャック等でコンパクトに身体に密着固定させ、逆三角形のブイ溝となる第１チャック部分をポケット代わりに使用できるような構造にし、必要に応じて全身周囲の第２チャック９をつついっぱいあけて逆三角形に折り込でいる第１チャック６を外に引き出して大袋としても使用できるような二重バッグのような構造とした、請求項１記載の両肩腰ベルト兼用式身体巻き（袋）バッグ。
【請求項４】
両肩からかけたひものお腹部分に左右の肩かけひもを固定しつなぐ箇所のボタンどめを右前または、左前のどちらにも兼用が可能となるように上から順にボタン孔とボタンを交互につけまた右と左は逆にして取り付けることで右前、左前のいずれにも、とめかえが可能となるようにした、請求項１記載の両肩腰ベルト兼用式身体巻き（袋）バッグで、全身周囲を後と前と左・前と右の袋（バッグ）を一連にした（袋）バッグとしているため、荷物位置を自由に簡単に好きな位置に移動できるようにして、持ち運べるような構造にして、又、尚、後ろに移動した荷物が勝手に動きにくくするため、袋の底から高さ数センチだけの間仕切りを数箇所もうけるような構造とした、請求項１記載の両肩腰ベルト兼用式身体巻き（袋）バッグで又、雨の日でも、大丈夫なように、素材を防水にした、請求項１記載の両肩腰ベルト兼用式身体巻き（袋）バッグ。
【請求項５】
身体巻き袋（バッグ）部分３の側面部に補助手さげひも１０の表面の両側一部に、重量を入れたときに重量を軽減補助し、持ち上げるようにするための、重量物の持ち上げ補助手さげひも１０を付けた、ような構造とした、請求項１記載の両肩腰ベルト兼用式身体巻き（袋）バッグ。
【手続補正書】
【提出日】平成17年8月24日(2005.8.24)
【手続補正１】
【補正対象書類名】実用新案登録請求の範囲
【補正対象項目名】全文
【補正方法】変更
【補正の内容】
【実用新案登録請求の範囲】
【請求項１】
両肩掛けひもを肩にかけて、腹と腰のまわりに袋状のいれものを巻きつけその巻きつけたバッグの左右両端部をチャックやボタン等でとめれるような構造とした、両肩腰ベルト兼用式身体巻きバッグ。
【請求項２】
袋状の身体巻き袋部分３の大袋分に荷物をいれた時、その重み等を保持固定し、身体に密着させてぶれないように、これを支えるための全身周囲に巻腰ベルトをはめ込めるように、または両肩からたらした両肩掛けひも１をひっかけるための、両肩掛けひも腰ベルト兼用かけひも部分２に両肩掛けひもと腰ベルトのいずれもを利用が可能な兼用の輪を数箇所取り付けるような構造とした、請求項１記載の両肩腰ベルト兼用式身体巻きバッグ。
【請求項３】
袋状の身体巻き袋部分３の身体周囲全体の巻き袋部分、の身体巻き袋の口でポケットの底部分になる全身体まわり第１チャック６を引き出して大袋状とし、その上部入り口となる身体巻きバッグの第１チャック６の口を左右２本のチャック等で身体周囲全体を開け閉め可能の構造として、その第１チャック部分を逆三角形のように中に折込んで、逆三角形の頂点の第１チャック部分がポケットの底となるような形に折り込み、ポケットが身体周囲全体となる構造にして巻き、大袋の底にあたる部分を三角形の頂点部分になるように大袋を上なかに折りたたみ込み、これの三角形の底辺部分の開いたすきまを面ファスナーまたはボタン等、でとめて身体のほうに密着させ、大袋の第１チャックを下に折り込んだ部分の逆三角形の底辺部分に当たるポケットの入り口部分は、第２チャック９で閉じる構造とし、上の口側と下の底側の上下Ｖ型に中折れにした上下両端をチャックやボタンやまたは上は布フタ下は面ファスナーなどでとめて形をスマートにした身体巻き袋部分３の正面左右の各第２チャック９の下端から始まり、逆エル字がたに身体周囲全体をぐるりと右から左へ、または、左から右へチャックを開け閉め出来るよう２本のチャック等でコンパクトに身体に密着固定させ、逆三角形のブイ溝となる第１チャック部分をポケット代わりに使用できるような構造とするとともに、必要に応じて全身周囲の第２チャック９をつついっぱいあけて逆三角形に折り込でいる第１チャック６を外に引き出して大袋としても使用できるような二重バッグのような構造とした、請求項１記載の両肩腰ベルト兼用式身体巻きバッグ。
【請求項４】
両肩からかけたひものお腹部分に左右の肩かけひもを固定しつなぐ箇所のボタンどめを右前または、左前のどちらにも兼用が可能となるように上から順にボタン孔とボタンを交互につけまた右と左は逆にして取り付けることで右前、左前のいずれにも、とめかえが可能となるようにした、請求項１記載の両肩腰ベルト兼用式身体巻きバッグで、全身周囲を後と前と左・前と右の袋を一連にしたバッグとしているため、荷物位置を自由に簡単に好きな位置に移動できるようにして、持ち運べるような構造にして、又、尚、後ろに移動した荷物が勝手に動きにくくするため、袋の底から高さ数センチだけの間仕切りを数箇所もうけるような構造とした、請求項１記載の両肩腰ベルト兼用式身体巻きバッグで又、雨の日でも、大丈夫なように、素材等も防水などにした、ような構造とした、請求項１記載の両肩腰ベルト兼用式身体巻きバッグ。
【請求項５】
身体巻き袋部分３の側面部に補助手さげひも１０の表面の両側一部に、重量を入れたときに重量を軽減補助し、持ち上げるようにするための、重量物の持ち上げ補助手さげひも１０を付けた、ような構造とした、請求項１記載の両肩腰ベルト兼用式身体巻きバッグ。